(57)【特許請求の範囲】
【請求項１】
モ−ルドボ−ド、ランドサイド、シェヤなどで形成されるボトムをもつボトム作業機において、ランドサイドの作業進行領域を含み、シェヤの作業先端部分にあって、ランドサイドの底面レベルとほぼ同一レベルに、かつシェヤの作業先端部より前方に張り出しいる障害物接触体をシェヤの先端部に設けたボトムを備えていることを特徴とするボトム作業機。
【請求項２】
モ−ルドボ−ド、ランドサイド、シェヤなどで形成されるボトムをもつボトム作業機において、ランドサイドの作業進行領域を含み、シェヤの作業先端部分にあって、ランドサイドの底面レベルとほぼ同一レベルに、かつシェヤの作業先端部より前方に張り出し、さらに、上の縁が先端部に向かって次第に高くなっている障害物接触体をシェヤの先端部に設けたボトムを備えていることを特徴とするボトム作業機。
【発明の詳細な説明】
【０００１】
【産業の属する技術分野】
本発明はボトム作業機に関し、さらに詳しくは、圃場に存在する埋没状態の石、切り株などの障害物により耕耘作業中にボトム作業機が破壊するのを防止することができるボトム作業機に関する。
【０００２】
【従来の技術】
従来広く使用されているボトム作業機では、作業中に圃場に存在する埋没状態の石、切り株などが原因して過負荷を受けた場合に作業機が破損するのを防ぎ、一部を犠牲にするだけで主要部分にまでその過負荷による破損が及ばないようにした保護手段が採用されている。具体的には、作業機を構成するフレ−ムとボトムを下端部にもつビ−ムとを連結する部分において、過負荷を受けたときに剪断力により切断されるシェヤボルトが用いられており、このシェヤボルトが切断されることでボトム作業機として機能するすることができなくなり、これにより作業機のほかの部分に破損が及ばないようにしたものが知られている。
このような安全装置はトラクタの大型化につれ必要になったもので、トラクタが非力であった時代には作業機の一部が破損する前にトラクタ自体が負荷により稼働不可能になっていたので必要性はなかったのであるが、最近のように、農業の採算性が問われ始め、採算性を向上させるには農地の規模拡大が唱えられて以来、トラクタの大型化は避けることができない問題になっている。
してみると、大型のトラクタに牽引されるようになったボトム作業機では前述のような安全装置が不可欠になったのである。
【０００３】
【発明が解決しようとする課題】
最も簡単で確実に作用するとされているシェヤボルトによる安全装置では、作業機の破損を免れることができるのであるが、広い圃場において作業中に前記シェヤボルトが切断されてしまうと、作業は中断状態になり、修復のため作業機を一旦作業基地まで引き返す必要があり、基地においてもシェヤボルトの交換のことを考えると極めて厄介な事態になってしまうのである。
【０００４】
確かに作業機の破損は免れることができるのであるが、圃場では作業を続行することができない事態になってしまうので、作業能率は極端に低下し、作業日程に支障を来すこととなり、制限のある作業日程のうちに全てを完了することができない場合には、後の作業に支障を来し、極端な場合には収量の減収を招く虞もあって、前記安全装置は一長一短の問題を内包している。
そこで、本発明は前記シェヤボルトが切断される前に作業機の姿勢を障害物から退避させることで、作業は一旦中断することが余儀なくされるのであるが、その後の作業を続行するには便利の良い作業機を提供することを目的とするものである。
【０００５】
【課題を解決するための手段】
上述のような目的を達成するために、本発明はモ−ルドボ−ド、ランドサイド、シェヤなどで形成されるボトムをもつボトム作業機において、ランドサイドの作業進行領域を含み、シェヤの作業先端部分にあって、ランドサイドの底面レベルとほぼ同一レベルに、かつシェヤの作業先端部より前方に張り出しいる障害物接触体をシェヤの先端部に設けたボトムを備えていることを特徴とするものであり、モ−ルドボ−ド、ランドサイド、シェヤなどで形成されるボトムをもつボトム作業機において、ランドサイドの作業進行領域を含み、シェヤの作業先端部分にあって、ランドサイドの底面レベルとほぼ同一レベルに、かつシェヤの作業先端部より前方に張り出し、さらに、上の縁が先端部に向かって次第に高くなっている障害物接触体をシェヤの先端部に設けたボトムを備えていることを特徴とするものである。これにより障害物接触体が障害物に接触すると、その抵抗により作業機が姿勢を変えることで障害物を避け、あるいは障害物によってはこれを乗り越えて作業を続行できるようにし、さらに必要以上に先端部が深く刺さり込むことがないようにしたものである。
【０００６】
【発明の実施の形態】
以下、本発明の実施の形態を添付した図１ないし図６について説明する。これらの図において、符号１０はボトム全体を示し、このボトム１０は作業進行方向に沿って伸びるランドサイド１１と、このランドサイド１１に対して斜めの方向に伸びるシェヤ１２、さらには、このシェヤ１２により耕起された土を反転れき溝に導き入れるモ−ルドボ−ド１３などにより構成されている。このボトム１０はモ−ルドボ−ド１３の裏側とランドサイド１１に囲まれる空間に位置するベッド１４と、このベッド１４に下端部が固定されているビ−ム１５を介して作業機２０のフレ−ム２１に取り付けられる。このボトム１０を作業機２０を構成するフレ−ム２１に対して単数、あるいは複数取り付けることで、ボトム作業機を構成する。
【０００７】
さらに、前記ボトム１０には、ランドサイド１１の作業進行方向の領域を含む垂直な平面内で、かつシェヤ１２の先端位置より前方に張り出し、ランドサイド１１の上面レベルより前方になるに従い若干上り気味に形成された勾配面ｋをもつ障害物接触体が形成されていて、この障害物接触体１６の基部１６Ａはシェヤ１２に対して、溶接あるいはボルトなどにより固定されている。
【０００８】
この障害物接触体１６が、圃場の耕起作業中において土の中の障害物Ｘに接触したときには、例えば、図５に示すように、圃場において障害物Ｘの上面に対して接触すると、シェヤ１２の先端部が接触する前に障害物接触体１６がこれに接触することになり、接触した障害物接触体１６に対応しているボトム１０は障害物Ｘに乗り上げる状態となって、障害物Ｘによる過負荷が直接的にボトムに作用するのを防いでいる。多連のボトムをもつ作業機にあっては、すべてのボトムが浮き上がり、これによりトラクタのオペレ−タは負荷がなくなったことに気づき、ここで一旦作業を中断し、障害物を取り除くか、あるいは、取り除き不可能な障害物の場合には一旦作業機をリフトアップして、これを避けてから次の耕起作業に移る。
【０００９】
また、障害物接触体の上面に先上がりの勾配面ｋが形成されていることから、万一障害物接触体１６の一部が障害物の下側側に潜り込んで行きそうな状態になったときでも、この勾配面ｋによりボトム全体が潜り込むのを防いでいる。この勾配面ｋの方向が先端に向かって下がる傾向の勾配であると、障害物に対して潜り込む傾向となり、負荷の増加となり作業機の破損を生じかねないが、前記勾配面ｋを設けることで未然にこれを防いでいる。
【００１０】
また、図６に示すように、圃場において作業中にボトム１０の行く手に障害物Ｘが存在していて、その側面に接触するような場合には、シェヤ１２より先に障害物接触体１６がその障害物Ｘの側面に対して接触することになり、ボトム１０全体がその障害物Ｘにより作業進行方向が左右いずれかに曲げられて、これを左右方向に避ける状態となり、障害物Ｘによる過負荷が直接的にボトムに作用するのを防いでいる。
【００１１】
このとき、ボトムが左右方向に進行方向を変更させられると、作業機全体にねじり負荷が加わることになるので、オペラ−タが異常負荷に気づき、ここで一旦トラクタを停止して作業を中断し、作業機をリフトして障害物のないところまで移動して、その障害物を避ける。
【００１２】
上述のように、本発明のボトム作業機によれば、圃場における耕起作業中に埋没状態にある障害物につき当たると、ボトム先端部に位置する障害物接触体が、障害物に当たるのであるが、このとき作業機全体の姿勢を変更させることになるので、作業者が障害物に気づき、ここで、一旦作業を中断して、その障害物を避けるために、作業機をリフトし、適当に移動したところで、再び作業機を降ろして障害物を回避したのち再び作業を続行することができる。
【００１３】
また、障害物Ｘが比較的小さい場合には、ボトム１０がその障害物Ｘを乗り越えることができるので、多少の連続性は絶たれるが、全体としては連続した耕起作業を続行することができ、能率的な作業を可能にしている。
【００１４】
【発明の効果】
以上の説明から明らかなように、本発明によればランドサイドの作業進行方向領域内に障害物接触体を設けて、作業中ではシェヤより先にこの障害物接触体が障害物に当たるように構成したから、障害物に接触した時点において作業に加わる異常負荷によってトラクタのオペレ−タが障害物に気づき、そこで一旦作業を中断することにより過負荷が作業機全体に影響を及ぼすことを未然に防ぐことができる。
【図面の簡単な説明】
【図１】  本発明作業機に用いるボトムの側面図である。
【図２】  図１の平面図である。
【図３】  図１の正面図である。
【図４】  図１に示すボトムの斜面図である。
【図５】  本発明作業機に用いるボトムのと障害物接触体との関係を示す側面図である。
【図６】  本発明作業機に用いるボトムのと障害物接触体との関係を示す平面図である。
【符号の説明】
１０  ボトム
１１  ランドサイド
１２  シェヤ
１３  モ−ルドボ−ド
１４  ベッド
１５  ビ−ム
１６  障害物接触体
２０  ボトム作業機
２１  フレ−ム
【図１】
0003761105.tif 000002
【図２】
0003761105.tif 000003
【図３】
0003761105.tif 000004
【図４】
0003761105.tif 000005
【図５】
0003761105.tif 000006
【図６】
0003761105.tif 000007